(57)【特許請求の範囲】
【請求項１】
板状の挾持部（２ａ）と挾持部（２ａ）の一端に連設された枠部（２ｃ）と挾持部（２ａ）の一端に上方へ彎曲した姿勢で連設されて枠部（２ｃ）内で上下方向へ弾性変形し得る弾性片（２ｄ）と枠部（２ｃ）の両側辺に一体的に形成された一対の軸受部（２ｇ）とを夫々備え、バンド（５）やベルト（５）へ取り付けられる合成樹脂製の本体（２）と、本体（２）の枠部（２ｃ）内に収納されて弾性片（２ｄ）により上方へ附勢される揺動部（３ａ）と揺動部（３ａ）に連設されて本体（２）の挾持部（２ａ）に対向する板状の挾持部（３ｂ）とを夫々備え、本体（２）の上面側に上下方向へ揺動自在に配置されて本体（２）に対して略平行姿勢となる挾持位置と本体（２）に対して挾持部（３ｂ）が本体（２）の挾持部（２ａ）から離間した傾斜姿勢となる開放位置とを取り得る揺動体（３）と、揺動体（３）の揺動部（３ａ）を押圧操作する作動部（４ａ）と作動部（４ａ）に連設されて揺動体（３）の挾持部（３ｂ）の上面に対向可能な板状の把持部（４ｂ）とを夫々備え、揺動体（３）の上面側に配置されて本体（２）の軸受部（２ｇ）に回動自在且つ倒伏自在に取り付けられ、揺動体（３）を揺動操作すると共に、揺動体（３）を抜け止めする板状の操作レバー（４）とから成るサスペンダー用止め具（１）であって、前記操作レバー（４）は、本体（２）に対して倒伏状態のときには作動部（４ａ）により揺動体（３）の揺動部（３ａ）を弾性片（２ｄ）の弾性力に抗して枠部（２ｂ）内へ押圧して揺動体（３）を挾持位置に保持し、又、本体（２）に対して起立状態のときには作動部（４ａ）による揺動部（３ａ）の押圧状態が解除されて揺動体（３）が弾性片（２ｄ）の弾性力により開放位置を取れるように構成され、更に、前記揺動体（３）の挾持部（３ｂ）の上面に操作レバー（４）の把持部（４ｂ）が収納される収納溝（３ｃ）を形成すると共に、当該揺動体（３）の枠部（２ｃ）内に収納される揺動部（３ａ）の平板部（３ａ1 ）裏面に本体（２）の弾性片（２ｄ）が摺動自在に当接して収納されるガイド溝（３ｆ）を形成し、そして、前記操作レバー（４）の把持部（４ｂ）の一端を揺動体（３）の挾持部（３ｂ）の先端から外方へ突出させたことを特徴とするサスペンダー用止め具。
【発明の詳細な説明】
【０００１】
【発明の属する技術分野】
本発明は、ズボンやスカート等の衣服類がずり落ちるのを防止するサスペンダーに用いるものであり、基端部側をサスペンダーのバンドやベルトに取り付け、先端部側でズボンやスカートの腰回り部分等を挾持するようにしたクリップ構造のサスペンダー用止め具の改良に関するものである。
【０００２】
【従来の技術】
従来、ズボンやスカートの腰回り部分を挾持するクリップ構造のサスペンダー用止め具としては、例えば特公昭５６−３７８０１号公報に開示された構造のものが知られている。
【０００３】
即ち、前記止め具６（クリップ）は、図１３乃至図１５に示す如く、前後位置に平行状に配置されたベースプレート７ａと補助プレート７ｂとの間に通路７ｃを形成した第１プレート部材７と、第１プレート部材７のベースプレート７ａ及び補助プレート７ｂに夫々対向するベースプレート８ａ及び補助プレート８ｂを備え、第１プレート部材７の通路７ｃに揺動自在に挿通された第２プレート部材８と、両プレート部材１，２のベースプレート７ａ，８ａ間に配置され、両ベースプレート７ａ，８ａを開く方向へ附勢するスプリング９と、両プレート部材１，２の補助プレート７ｂ，８ｂ間に回動自在に配置され、両ベースプレート７ａ，８ａをスプリング９の弾性力に抗して閉じた状態に保持し得る作動部材１０とから成り、作動部材１０を回動操作することによって、両ベースプレート７ａ，８ａの開閉を行えるように構成されている。
【０００４】
尚、図１３乃至図１５に於いて、７ｄは第１プレート部材７のベースプレート７ａと補助プレート７ｂを接続するサイドリブ、７ｅは第１プレート部材７に形成した係止部材、８ｃは第２プレート部材８のベースプレート８ａと補助プレート８ｂを接続する横リブ、８ｄは第２プレート部材８に形成した受け部、８ｅは第２プレート部材８に形成した開口部、１０ａは作動部材１０の作動壁部、１０ｂは作動部材１０の側壁部、１０ｃは作動部材１０の把持部、１１は作動部材１０に取り付けられたバンドやベルトである。
【０００５】
而して、前記止め具６に於いて、作動部材１０を図１４に示す位置へ回動操作して作動壁部１０ａで両補助プレート７ｂ，８ｂを押圧すると、両ベースプレート７ａ，８ａがスプリング９の弾性力に抗して閉じる方向へ回動し、両ベースプレート７ａ，８ａの先端部でズボンやスカートの腰回り部分を挾持可能となる。即ち、止め具６は、閉鎖位置に保持された状態となる。
又、作動部材１０を図１５に示す位置へ回動操作して作動壁部１０ａを補助プレート７ｂ，８ｂ間で遊動可能な状態にすると、両ベースプレート７ａ，８ａがスプリング９の弾性力により開く方向へ附勢されると共に、係止部材７ｅが受け部８ｄ及び開口部８ｅに係止され、両ベースプレート７ａ，８ａが開いた状態に保持されることになる。即ち、止め具６は、開放位置に保持された状態となる。
【０００６】
このクリップ構造の止め具６は、ズボンやスカートの腰回り部分を挾持した際に第１プレート部材７及第２プレート部材８の上下両面及び両側面がなめらかな略平面形状となる為、着用に際しての感触性が良好であり、且つ外観的にも優れている等の利点を有している。
【０００７】
【発明が解決しようとする課題】
ところで、前記止め具６は、両プレート部材１，２が閉じているときには作動部材１０が両プレート部材１，２に対して略一直線状に配置された格好になっている。
その結果、この止め具６は、閉鎖位置にあるときに初めて取り扱う使用者にとってその開け方が極めて判り難く、取扱性に劣ると云う問題があった。然も、サスペンダーのバンド１１等が取り付けられる作動部材１０を回動操作することによって、両プレート部材１，２の開閉を行うようにしている為、初めて取り扱う使用者にとって開け方がより一層難しくなっている。
【０００８】
又、止め具６は、これをズボンやスカートの腰回り部分へ着脱する際には、両プレート部材１，２のベースプレート７ａ，８ａ間にズボンやスカートの腰回り部分を介在させた状態で、作動部材１０を両プレート部材１，２よりも人体側寄りで回動させなければならない為、作動部材１０の回動操作が極めて行い難く、操作性に劣ると云う問題があった。特に、作動部材１０にはサスペンダーのバンド１１やベルト１１が取り付けられている為、作動部材１０の回動操作がより一層行い難かった。
【０００９】
更に、止め具６は、両プレート部材１，２を開くのにスプリング９を使用している為、部品点数が増加すると云う問題もあった。
【００１０】
本発明は、上記の問題点を解消する為に創作されたものであり、その目的は取扱性や操作性に優れていると共に、部品点数の削減を図れるようにしたサスペンダー用止め具を提供するにある。
【００１１】
上記目的を達成する為に、本発明の請求項１の発明は、板状の挾持部と挾持部の一端に連設された枠部と挾持部の一端に上方へ彎曲した姿勢で連設されて枠部内で上下方向へ弾性変形し得る弾性片と枠部の両側辺に一体的に形成された一対の軸受部とを夫々備え、バンドやベルトへ取り付けられる合成樹脂製の本体と、本体の枠部内に収納されて弾性片により上方へ附勢される揺動部と揺動部に連設されて本体の挾持部に対向する板状の挾持部とを夫々備え、本体の上面側に上下方向へ揺動自在に配置されて本体に対して略平行姿勢となる挾持位置と本体に対して挾持部が本体の挾持部から離間した傾斜姿勢となる開放位置とを取り得る揺動体と、揺動体の揺動部を押圧操作する作動部と作動部に連設されて揺動体の挾持部の上面に対向可能な板状の把持部とを夫々備え、揺動体の上面側に配置されて本体の軸受部に回動自在且つ倒伏自在に取り付けられ、揺動体を揺動操作すると共に、揺動体を抜け止めする板状の操作レバーとから成るサスペンダー用止め具であって、前記操作レバーは、本体に対して倒伏状態のときには作動部により揺動体の揺動部を弾性片の弾性力に抗して枠部内へ押圧して揺動体を挾持位置に保持し、又、本体に対して起立状態のときには作動部による揺動部の押圧状態が解除されて揺動体が弾性片の弾性力により開放位置を取れるように構成され、更に、前記揺動体の挾持部の上面に操作レバーの把持部が収納される収納溝を形成すると共に、当該揺動体の枠部内に収納される揺動部の平板部裏面に本体の弾性片が摺動自在に当接して収納されるガイド溝を形成し、そして、前記操作レバーの把持部の一端を揺動体の挾持部の先端から外方へ突出させたことに特徴がある。
【００１３】
【発明の実施の形態】
以下、本発明の実施の形態を図面に基づいて詳細に説明する。
図１乃至図１２は本発明に係るサスペンダー用止め具１の一例を示し、該止め具１は、本体２と、本体２の上面側に上下方向へ揺動自在に配置された揺動体３と、本体２に回動自在且つ倒伏自在に取り付けられ、揺動体３の上面側に配置されて揺動体３を揺動操作する操作レバー４とから成り、本体２及び揺動体３の先端部側でズボンやスカートの腰回り部分を挾持できるように構成されている。
【００１４】
具体的には、前記本体２は、ナイロンやポリアセタール等の合成樹脂材により一体的に形成されて居り、図１、図７乃至図９に示す如く、略四角板状の挾持部２ａと、挾持部２ａの一端（基端）に連設され、挾持部２ａとの間に略四角形状の収納穴２ｂを形成する平面形状が略コ字状の枠部２ｃと、挾持部２ａの一端（基端）に上方へ彎曲した姿勢で連設され、枠部２ｃ内（収納穴２ｂ）で上下方向へ弾性変形し得る細幅薄板状の弾性片２ｄと、枠部２ｃの両側位置に連設され、枠部２ｃとの間にサスペンダーのバンド５やベルト５が挿通されるスリット状の取付け穴２ｅを形成する取付け部２ｆと、枠部２ｃの両側辺に一体的に形成された一対の軸受部２ｇとを夫々備えている。
又、両軸受部２ｇは、枠部２ｃの両側辺を凸状に形成し、この凸状の内側面に下端が開放された縦長の軸受溝２ｈを対向状に設けることにより形成されている。
【００１５】
尚、図１、図７乃至図９に於いて、２ｉは挾持部２ａの先端部上面に一体的に突出形成された複数の滑り止め用突起、２ｊは挾持部２ａの基端部上面に一体的に突出形成された一対のガイド突起、２ｋは軸受部２ｇの上端部内側に形成された傾斜状のガイド面である。
【００１６】
前記揺動体３は、ナイロンやポリアセタール等の合成樹脂材により一体的に形成されて居り、図１、図１０乃至図１２に示す如く、本体２の枠部２ｃ（収納穴２ｂ）内に収納されて弾性片２ｄにより上方へ附勢される揺動部３ａと、揺動部３ａの先端に連設され、本体２の挾持部２ａに対向する略四角板状の挾持部３ｂとを夫々備えている。
又、揺動部３ａは、本体２の収納穴２ｂよりも若干小さめで且つ収納穴２ｂの形状と略同じ形状に形成された平板部３ａ1 と、平板部３ａ1 の先端に上方へ向って連設され、ガイド突起２ｊに対向する板状のガイド部３ａ2 と、平板部３ａ1 の基端に上方へ向って連設され、枠部２ｃの後側辺に対向する略板状の係止部３ａ3 とから成り、平板部３ａ1 を弾性片２ｄの弾性力に抗して収納穴２ｂ内へ収納したときにガイド部３ａ2 がガイド突起２ｊに、係止部３ａ3 が枠部２ｃの後側辺に夫々対向するようになっている。
更に、挾持部３ｂは、本体２の挾持部２ａと略同じ大きさ及び形状に形成されて居り、その上面には操作レバー４が収納される収納溝３ｃが長手方向に沿って形成されている。
【００１７】
尚、図１、図１０乃至図１２に於いて、３ｄは挾持部３ｂの先端部下面に一体的に突出形成され、本体２の挾持部２ａの滑り止め用突起２ｉに噛合する複数の滑り止め用突起、３ｅは挾持部３ｂの基端部側に形成され、本体２のガイド突起２ｊの先端部が挿入されるガイド穴、３ｆは平板部３ａ1 の裏面に形成され、本体２の弾性片２ｄが摺動自在に当接すると共に、該弾性片２ｄが入り込むガイド溝である。
【００１８】
前記操作レバー４は、ナイロンやポリアセタール等の合成樹脂材により一体的に形成されて居り、本体２に回動自在且つ倒伏自在に取り付けられ、揺動体３の上面側に配置されて揺動体３を揺動操作するものである。
即ち、操作レバー４は、図１乃至図６に示す如く、本体２の軸受部２ｇに回動自在に取り付けられ、揺動体３の揺動部３ａを押圧操作する作動部４ａと、作動部４ａに連設され、揺動体３の挾持部３ｂの上面に対向可能な板状の把持部４ｂとを夫々備えている。
又、作動部４ａは、断面形状が略三角形のブロック状に形成されて居り、その両側面には軸受部２ｇの軸受溝２ｈに回転自在且つ摺動自在に嵌合される支持軸４ｃが一体的に突出形成されている。この支持軸４ｃの先端部には、支持軸４ｃを軸受溝２ｈへ簡単且つ容易に挿入できるように、軸受部２ｇに形成したガイド面２ｋに対向する傾斜状のガイド面４ｄが形成されている。
更に、把持部４ｂは、これを揺動体３の収納溝３ｃへ収納できる大きさの長方形の板状に形成されて居り、その長さは揺動体３の収納溝３ｃへ収納されたときにその一端が揺動体３の挾持部３ｂの先端から外方へ突出するように選定されている。
【００１９】
而して、前記止め具１を組み立てるには、先ず本体２の上面側に揺動体３を配置して挾持部２ａ，３ｂ同士を対向させると共に、本体２の収納穴２ｂに揺動体３の揺動部３ａを収納し、次に操作レバー４を揺動体３の上面側に配置して支持軸４ｃに形成したガイド面４ｄを本体２の軸受部２ｇのガイド面２ｋに対向させ、この状態で操作レバー４の作動部４ａを本体２側へ押し込む。そうすると、本体２の枠部２ｃの両側辺が操作レバー４の支持軸４ｃに押圧されて外方（拡がる方向）へ弾性変形し、操作レバー４の支持軸４ｃが軸受部２ｇの軸受溝２ｈに嵌合されることになる。
【００２０】
その結果、操作レバー４は、本体２の軸受部２ｇから抜け止めされ、本体２の枠部２ｃ（軸受部２ｇ）に回動自在且つ倒伏自在に取り付けられることになる。又、揺動体３は、本体２に回動自在に取り付けられた操作レバー４により本体２と操作レバー４との間から抜け止めされ、本体２と操作レバー４との間に上下方向へ揺動自在に配置されることになり、本体２に対して略平行姿勢となる挾持位置（図３及び図４に示す位置）と本体２に対して挾持部３ｂが本体２の挾持部２ａから離間した傾斜姿勢となる開放位置（図６に示す位置）とを取り得るようになっている。
【００２１】
そして、前記操作レバー４は、本体２に対して倒伏状態（図２乃至図５に示す状態）のときには揺動体３の揺動部３ａを弾性片２ｄの弾性力に抗して枠部２ｃ（収納穴２ｂ）内へ押圧して揺動体３を挾持位置に保持し、又、本体２に対して起立状態（図６に示す状態）のときには揺動体３の揺動部３ａの押圧状態が解除されて揺動体３が開放位置を取れるように構成されている。
【００２２】
即ち、操作レバー４が倒伏状態のときには、支持軸４ｃから遠い位置にある作動部４ａの下面４ａ1 が揺動部３ａの平板部３ａ1 の上面に当接すると共に、作動部４ａの支持軸４ｃが軸受溝２ｈの上端に当接している為、揺動体３の揺動部３ａが作動部４ａによって弾性片２ｄの弾性力に抗して枠部２ｃ（収納穴２ｂ）内へ完全に押し込まれた状態となっている。その結果、揺動体３は、本体２に対して略平行姿勢となる挾持位置に保持されることになる（図４参照）。
【００２３】
一方、操作レバー４が起立状態のときには、支持軸４ｃから近い位置にある作動部４ａの前面４ａ2 が揺動部３ａの平板部３ａ1 の上面に当接している為、作動部４ａによる揺動部３ａの押圧状態が解除されることになる。その結果、揺動体３は、弾性片２ｄの弾性力により上方へ附勢され、作動部４ａの支持軸４ｃを支点にして挾持部３ｂが本体２の挾持部２ａから離間する方向へ揺動し、本体２に対して傾斜姿勢となる開放位置に保持されることになる（図６参照）。このとき、揺動体３の係止部３ａ3 が枠部２ｃの後側辺に係止される為、揺動体３は開放位置に確実且つ良好に保持されることになる。
【００２４】
尚、前記止め具１は、本体２の取付け穴２ｅにサスペンダーのバンド５やベルト５を挿通して抜け止めすることによって、サスペンダーのバンド５やベルト５へ取り付けられる。
【００２５】
次に、前記サスペンダー用止め具１を用いてズボンやスカートの腰回り部分を挾持する場合について説明する。
【００２６】
先ず、操作レバー４を指で摘んで倒伏位置（図３及び図４に示す位置）から起立位置（図６に示す位置）へ回動させると、支持軸４ｃから近い位置にある作動部４ａの前面４ａ2 が揺動部３ａの平板部３ａ1 の上面に当接し、作動部４ａによる揺動部３ａの押圧状態が解除されることになる。その結果、揺動体３は、弾性片２ｄの弾性力により上方へ附勢され、作動部４ａの支持軸４ｃを支点にしてその挾持部３ｂが本体２の挾持部２ａから離間する方向へ揺動し、本体２に対して傾斜姿勢となる開放位置に保持される。このとき、揺動体３の係止部３ａ3 が本体２の枠部２ｃの後側辺に当接して揺動体３の揺動量が規制され、揺動体３は弾性片２ｄの弾性力により上方へ附勢されていることとも相俟って、開放位置に確実に保持される。
【００２７】
次に、本体２の挾持部２ａと揺動体３の挾持部３ｂとの間にズボンやスカートの腰回り部分を挿入し、操作レバー４を指で摘んで起立位置から倒伏位置へ順次回動させて行く。そうすると、最初のうち操作レバー４及び揺動体３は、両方とも操作レバー４の支持軸４ｃを支点にして回動し、本体２の挾持部２ａと揺動体３の挾持部３ｂとでズボンやスカートの腰回り部分を挾持することになる。
【００２８】
そして、本体２及び揺動体３の両挾持部２ａ，３ｂがズボンやスカートの腰回り部分を完全に挾持すると、揺動体３の揺動部３ａが回動操作されている操作レバー４の作動部４ａによって弾性片２ｄの弾性力に抗して引き続き枠部２ｃ（収納穴２ｂ）内へ押し込まれて行く。このとき、揺動体３は、挾持部３ｂの先端側を支点にして本体２側へ回動することになる。
【００２９】
揺動体３の揺動部３ａが枠部２ｃの収納穴２ｂへ完全に押し込まれ、その係止部３ａ3 が枠部２ｃの後側辺に当接した時点で、揺動体３の回動が規制される。その結果、揺動体３は、本体２に対して略平行姿勢となる挾持位置を取ることになる。
【００３０】
この状態で引き続き操作レバー４を揺動体３の上面側へ回動させて行くと、支持軸４ｃから遠い位置にある作動部４ａの下面４ａ1 が揺動部３ａの平板部３ａ1 の上面に当接すると共に、操作レバー４の把持部４ｂが揺動体３の収納溝３ｃ内へ当接し、該操作レバー４の回動が規制される。その結果、揺動体３は、その揺動部３ａが操作レバー４の作動部４ａによって弾性片２ｄの弾性力に抗して収納穴２ｂ内へ完全に押し込まれた状態となり、本体２に対して略平行姿勢となる挾持位置に保持されることになる。
従って、止め具１は、本体２の挾持部２ａと揺動体３の挾持部３ｂとでズボンやスカートの腰回り部分を確実且つ強固に挾持することになる。
【００３１】
このとき、止め具１の裏面側（下面側）に於いては、平板部３ａ1 が収納穴２ｂ内に収納されて平板部３ａ1 の底面と本体２の底面とが略同一平面状になっていると共に、弾性片２ｄが平板部３ａ1 のガイド溝３ｆに収納された状態となっている。又、止め具１の表面側（上面側）に於いては、操作レバー４の把持部４ｂが揺動体３の収納溝３ｃ内へ収納されて把持部４ｂの表面と揺動体３の挾持部３ｂの表面とが略同一平面状になっている。その結果、止め具１は、表裏面とも滑らかな平面形状を呈することになり、これをズボンやスカートの腰回り部分に装着しても、何ら違和感がなく着用に際しての感触性が良好となる。
【００３２】
一方、止め具１をズボンやスカートの腰回り部分から取り外す場合には、操作レバー４を倒伏位置から起立位置へ回動させる。そうすると、支持軸４ｃから近い位置にある作動部４ａの前面４ａ2 が揺動部３ａの平板部３ａ1 の上面に当接し、作動部４ａによる揺動部３ａの押圧状態が解除されることになり、揺動体３は弾性片２ｄの弾性力により上方へ附勢されて本体２に対して傾斜姿勢となる開放位置に保持される。その結果、止め具１をズボンやスカートの腰回り部分から取り外すことができる。
【００３３】
尚、操作レバー４は、把持部４ｂの一端が揺動体３の先端から外方へ突出した状態となっている為、操作レバー４を回動する際に操作レバー４の回動操作を極めて簡単且つ容易に行うことができる。
又、操作レバー４が止め具１の表面側に配置され、且つ操作レバー４を人体側から離れた位置で回動操作できるようになっている為、操作レバー４の回動操作も極めて行い易く、止め具１をズボンやスカートの腰回り部分へ簡単且つ容易に着脱することができる。
【００３４】
【発明の効果】
上述の通り、本発明の請求項１のサスペンダー用止め具にあっては、本体と本体の上面側に配置した揺動体とでズボンやスカートの腰回り部分を挾持し、揺動体の上面側に配置した操作レバーを上下方向へ回動操作することによって、本体と揺動体の開閉を行えるようにしている為、開閉操作を行うための操作レバーが止め具の最も目立つ位置に配置された格好となっている。その結果、本発明の止め具は、冒頭で述べたようにサスペンダーのバンド等が取り付けられる作動部材を回動操作して両プレート部材の開閉を行うようにした従来の止め具に比較して、開閉の仕方が極めて判り易く、初めて取り扱う使用者でも簡単且つ容易に開閉操作することができ、取扱性に優れている。
又、止め具は、これをズボンやスカートの腰回り部分へ着脱する際には、本体の挾持部と揺動体の挾持部の間にズボンやスカートの腰回り部分を介在させた状態で、人体の一番外側に位置する操作レバーを上下方向へ回動させるようにしている為、操作レバーの回動操作も極めて行い易く、操作性にも優れている。
更に、止め具は、本体に弾性片を一体的に形成し、この弾性片により揺動体を開く方向へ附勢するようにしている為、従来の止め具のように別途にスプリングを必要とすることもなく、部品点数の削減やコスト低減を図れる。
【００３５】
そのうえ、止め具は、操作レバーの一端を揺動体の挾持部の先端から外方へ突出させている為、操作レバーを摘み易くなり、操作レバーの回動操作がより行い易くなる。
【図面の簡単な説明】
【図１】本発明に係るサスペンダー用止め具の分解斜視図である。
【図２】サスペンダー用止め具が挾持位置ある状態の拡大平面図である。
【図３】サスペンダー用止め具が挾持位置ある状態の拡大側面図である。
【図４】図２のＡ−Ａ線断面図である。
【図５】図３のＢ−Ｂ線断面図である。
【図６】サスペンダー用止め具が開放位置にある状態の拡大断面図である。
【図７】サスペンダー用止め具の本体の拡大平面図である。
【図８】サスペンダー用止め具の本体の拡大側面図である。
【図９】図７のＣ−Ｃ線断面図である。
【図１０】サスペンダー用止め具の揺動体の拡大平面図である。
【図１１】サスペンダー用止め具の揺動体の拡大底面図である。
【図１２】図１０のＤ−Ｄ線断面図である。
【図１３】従来のサスペンダー用止め具１（クリップ）の分解斜視図である。
【図１４】従来の止め具１が開放位置にある状態の側面図である。
【図１５】従来の止め具１が閉鎖位置にある状態の側面図である。
【符号の説明】
１は止め具、２は本体、２ａは挾持部、２ｃは枠部、２ｄは弾性片、３は揺動体、３ａは揺動部、３ｂは挾持部、３ｃは収納溝、４は操作レバー、５はバンドやベルト。
【図１】
0003936773.tif 000002
【図２】
0003936773.tif 000003
【図３】
0003936773.tif 000004
【図４】
0003936773.tif 000005
【図５】
0003936773.tif 000006
【図６】
0003936773.tif 000007
【図７】
0003936773.tif 000008
【図８】
0003936773.tif 000009
【図９】
0003936773.tif 000010
【図１０】
0003936773.tif 000011
【図１１】
0003936773.tif 000012
【図１２】
0003936773.tif 000013
【図１３】
0003936773.tif 000014
【図１４】
0003936773.tif 000015
【図１５】
0003936773.tif 000016